(57)【要約】【課題】１フレームを複数のサブフレームに分割し、時間階調法を用いて階調を表現する表示装置において、疑似輪郭が生じてしまっていた。【解決手段】上位のビットを表現する場合は、各サブフレームにおける重み付け（点灯期間や点灯回数など）を順次足し合わせていくことにより、階調を表現する。同様に、下位のビットを表現する場合も、各サブフレームにおける重み付け（点灯期間や点灯回数など）を順次足し合わせていくことにより、階調を表現する。そして、上位ビット用のサブフレームと、下位ビット用のサブフレームとが、１フレーム内の、特定の場所に偏在しないようにする。【選択図】図１９
2006209093.tif 000002
【特許請求の範囲】
【請求項１】
１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する一つ以上のサブフレームの点灯に関して、概略等しい重み付けを行い、
前記１フレームにおいて、前記上位のビットに相当する複数のサブフレームのうちの一つのサブフレームが点灯し、
前記下位のビットに相当する一つ以上のサブフレームのうちの一つのサブフレームが点灯し、
前記上位のビットに相当する複数のサブフレームのうちの別の一つのサブフレームが点灯することを特徴とする表示装置の駆動方法。
【請求項２】
１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する複数のサブフレームの点灯に関して、概略等しい重み付けを行い、
前記１フレームにおいて、前記下位のビットに相当する複数のサブフレームのうちの一つのサブフレームが点灯し、
前記上位のビットに相当する複数のサブフレームのうちの一つのサブフレームが点灯し、
前記下位のビットに相当する複数のサブフレームのうちの別の一つのサブフレームが点灯することを特徴とする表示装置の駆動方法。
【請求項３】
１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する複数のサブフレームの点灯に関して、概略等しい重み付けを行い、
前記１フレームにおいて、前記下位のビットに相当する複数のサブフレームのうちの一つのサブフレームが点灯し、
前記上位のビットに相当する複数のサブフレームのうちの複数のサブフレームが点灯し、
前記下位のビットに相当する複数のサブフレームのうちの別の一つのサブフレームが点灯することを特徴とする表示装置の駆動方法。
【請求項４】
１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する複数のサブフレームの点灯に関して、概略等しい重み付けを行い、
前記１フレームにおいて、前記上位のビットに相当する複数のサブフレームのうちの一つのサブフレームが点灯し、
前記下位のビットに相当する複数のサブフレームのうちの複数のサブフレームが点灯し、
前記上位のビットに相当する複数のサブフレームのうちの別の一つのサブフレームが点灯することを特徴とする表示装置の駆動方法。
【請求項５】
１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する複数のサブフレームの点灯に関して、概略等しい重み付けを行い、
前記上位ビット又は前記下位ビットのビット数がいずれか少ない方の前記上位ビット又は前記下位ビットに相当する複数のサブフレームは、前記上位ビット又は前記下位ビットのビット数がいずれか多い方の前記上位ビット又は前記下位ビットに相当する複数のサブフレームから選ばれる一のサブフレームを介して、サブフレームが選択されることを特徴とする表示装置の駆動方法。
【請求項６】
請求項１乃至５のいずれか一項において、前記表示装置がＥＬディスプレイであることを特徴とする表示装置の駆動方法。
【発明の詳細な説明】
【技術分野】
【０００１】
本発明は表示装置およびその駆動方法、特に時間階調方式を適用した表示装置に関する。
【背景技術】
【０００２】
近年、画素を発光ダイオード（ＬＥＤ）などの発光素子で形成した、いわゆる自発光型の表示装置が注目を浴びている。このような自発光型の表示装置に用いられる発光素子としては、有機発光ダイオード（ＯＬＥＤ（Ｏｒｇａｎｉｃ  Ｌｉｇｈｔ  Ｅｍｉｔｔｉｎｇ  Ｄｉｏｄｅ）、有機ＥＬ素子、エレクトロルミネッセンス（Ｅｌｅｃｔｒｏ  Ｌｕｍｉｎｅｓｃｅｎｃｅ：ＥＬ）素子などとも言う）が注目を集めており、ＥＬディスプレイなどに用いられるようになってきている。ＯＬＥＤなどの発光素子は自発光型であるため、液晶ディスプレイに比べて画素の視認性が高く、バックライトが不要で応答速度が速い等の利点がある。また発光素子の輝度は、そこを流れる電流値によって制御される。
【０００３】
このような表示装置の発光階調を制御する駆動方式として、デジタル階調方式とアナログ階調方式とがある。デジタル階調方式はデジタル制御で発光素子をオンオフさせ、階調を表現している。一方、アナログ階調方式には、発光素子の発光強度をアナログ制御する方式と発光素子の発光時間をアナログ制御する方式がある。
【０００４】
デジタル階調方式の場合、発光・非発光の２状態しかないため、このままでは、２階調しか表現できない。そこで、別の手法を組み合わせて、多階調化を図ることが行われている。多階調化のための手法としては、時間階調法を用いられることが多い。
【０００５】
デジタル制御で画素の表示状態を制御して、時間階調を組み合わせて階調を表現するディスプレイとしては、デジタル階調方式を用いた有機ＥＬディスプレイの他にも、いくつか存在する。例としては、プラズマディスプレイなどがある。
【０００６】
時間階調法とは、発光している期間の長さや、発光した回数を制御して、階調を表現する方法である。つまり、１フレーム期間を複数のサブフレーム期間に分割し、各サブフレームに、発光回数や発光時間などの重み付けを行い、重み付けの総量（発光回数の総和や、発光時間の総和）を階調ごとに差を付けることによって、階調を表現している。このような時間階調法を用いると、疑似輪郭（または偽輪郭）などと呼ばれる表示不良を起こすことが知られており、その対策が検討されている（特許文献１〜特許文献７参照）。
【特許文献１】特許番号２９０３９８４号公報
【特許文献２】特許番号３０７５３３５号公報
【特許文献３】特許番号２６３９３１１号公報
【特許文献４】特許番号３３２２８０９号公報
【特許文献５】特開平１０−３０７５６１号公報
【特許文献６】特許番号３５８５３６９号公報
【特許文献７】特許番号３４８９８８４号公報
【発明の開示】
【発明が解決しようとする課題】
【０００７】
このように、さまざまな疑似輪郭を低減する方法が提案されているが、疑似輪郭低減の効果は、まだ十分ではない。
【０００８】
例えば、特許文献２における図１を参照する。そして、画素Ａでは階調数１２７を表現し、その隣の画素Ｂでは、階調数１２８を表現するとする。その場合の、各サブフレームにおける点灯・非点灯の状態を、図３２に示す。もし、視線を動かさずに、ずっと画素Ａのみ、もしくは、画素Ｂのみを見ていた場合は、疑似輪郭は生じない。なぜなら、視線が通っていった場所の明るさについて、和を取ったもので、目が明るさを感じる。よって、視線３２０１では画素Ａを、階調数が１２７（＝１＋２＋４＋８＋１６＋３２＋３２＋３２）であると感じ、視線３２０２では画素Ｂを、階調数が１２８（＝３２＋３２＋３２＋３２）であると感じる。すなわち、正しい階調を目が感じていることになる。
【０００９】
一方、視線が、画素Ａから画素Ｂへ、もしくは、画素Ｂから画素Ａに動いたとする。その場合を図３３に示す。この場合、視線の動き方によって、視線３３０１のときは、階調数が９６（＝３２＋３２＋３２）と感じ、視線３３０２のときは、階調数が１５９（＝１＋２＋４＋８＋１６＋３２＋３２＋３２＋３２）と感じてしまう。本来は、階調数が１２７と１２８に見えるべきであるのに、階調数が９６から１５９くらいで見えてしまい、疑似輪郭が発生してしまう。
【００１０】
図３２、図３３では、８ビット（２５６階調）の場合について示した。次に、図３４では、５ビットの場合を示す。ここでも同様に、視線の動き方によって、視線３４０１のときは、階調数が１２（＝４＋４＋４）と感じ、視線３４０２のときは、階調数が１９（＝１＋２＋４＋４＋４＋４）と感じてしまう。本来は、階調数が１５と１６に見えるべきであるのに、階調数が１２から１９くらいで見えてしまい、疑似輪郭が発生してしまう。
【００１１】
同様に、特許文献３における図１を参照する。そして、画素Ａでは階調数３１を表現し、その隣の画素Ｂでは、階調数３２を表現するとする。その場合の、各サブフレームにおける点灯・非点灯の状態を、図３５に示す。もし、視線を動かさずに、ずっと画素Ａのみ、もしくは、画素Ｂのみを見ていた場合は、疑似輪郭は生じない。なぜなら、視線が通っていった場所の明るさについて、和を取ったもので、目が明るさを感じる。よって、視線３５０１では画素Ａを、階調数が３１（＝１６＋４＋４＋４＋１＋１＋１）であると感じ、視線３５０２では画素Ｂを、階調数が３２（＝１６＋１６）であると感じる。すなわち、正しい階調を目が感じていることになる。
【００１２】
一方、視線が、画素Ａから画素Ｂへ、もしくは、画素Ｂから画素Ａに動いたとする。その場合を図３６に示す。この場合、視線の動き方によって、視線３６０２のときは、階調数が１６（＝１６）と感じ、視線３６０１のときは、階調数が４７（＝１６＋１６＋４＋４＋４＋１＋１＋１）と感じてしまう。本来は、階調数が３１と３２に見えるべきであるのに、階調数が１６から４７くらいで見えてしまい、疑似輪郭が発生してしまう。
【００１３】
本発明はこのような問題点に鑑み、少ないサブフレーム数で構成され、疑似輪郭を低減できる表示装置、およびそれを用いた駆動方法を提供することを目的とする。
【課題を解決するための手段】
【００１４】
本発明は、２進数で表示される階調において、上位のビット（つまり、ＭＳＢ（Ｍｏｓｔ  Ｓｉｇｎｉｆｉｃａｎｔ  Ｂｉｔ）などのように、桁の高いビット）を表現する場合は、各サブフレームにおける重み付け（点灯期間や点灯回数など）を順次足し合わせていくことにより、階調を表現する。また、２進数で表示される階調において、下位のビット（つまり、ＬＳＢ（Ｌｅａｓｔ  Ｓｉｇｎｉｆｉｃａｎｔ  Ｂｉｔ）などのように、桁の低いビット）を表現する場合も、各サブフレームにおける重み付け（点灯期間や点灯回数など）を順次足し合わせていくことにより、階調を表現する。そして、上位ビット用のサブフレームと、下位ビット用のサブフレームとが、１フレーム内の、特定の場所に偏在しないようにする。例えば、下位ビット用のサブフレームが、上位ビット用のサブフレームの間に挟まれているようにする。このような方法を用いて階調を表現することにより、上記目的を達成するものである。
【００１５】
本発明は、１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する一つ以上のサブフレームの点灯に関して、概略等しい重み付けを行い、
該１フレームにおいて、該上位のビットに相当する複数のサブフレームのうちの一つのサブフレームが点灯し、
該下位のビットに相当する一つ以上のサブフレームのうちの一つのサブフレームが点灯し、
該上位のビットに相当する複数のサブフレームのうちの別の一つのサブフレームが点灯することを特徴とするものである。
【００１６】
本発明は、１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する一つ以上のサブフレームの点灯に関して、概略等しい重み付けを行い、
該１フレームにおいて、該下位のビットに相当する複数のサブフレームのうちの一つのサブフレームが点灯し、
該上位のビットに相当する複数のサブフレームのうちの一つのサブフレームが点灯し、
該下位のビットに相当する複数のサブフレームのうちの別の一つのサブフレームが点灯することを特徴とするものである。
【００１７】
本発明は、１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する一つ以上のサブフレームの点灯に関して、概略等しい重み付けを行い、
該１フレームにおいて、該下位のビットに相当する複数のサブフレームのうちの一つのサブフレームが点灯し、
該上位のビットに相当する複数のサブフレームのうちの複数のサブフレームが点灯し、
該下位のビットに相当する複数のサブフレームのうちの別の一つのサブフレームが点灯することを特徴とするものである。
【００１８】
本発明は、１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する一つ以上のサブフレームの点灯に関して、概略等しい重み付けを行い、
該１フレームにおいて、該上位のビットに相当する複数のサブフレームのうちの一つのサブフレームが点灯し、
該下位のビットに相当する複数のサブフレームのうちの複数のサブフレームが点灯し、
該上位のビットに相当する複数のサブフレームのうちの別の一つのサブフレームが点灯することを特徴とするものである。
【００１９】
本発明は、１フレームを複数のサブフレームに分割して階調を表現する表示装置の駆動方法であって、
２進数で表示される階調の上位のビットに相当する複数のサブフレームの点灯に関して、概略等しい重み付けを行い、
２進数で表示される階調の下位のビットに相当する一つ以上のサブフレームの点灯に関して、概略等しい重み付けを行い、
該上位ビット又は該下位ビットのビット数がいずれか少ない方の該上位ビット又は該下位ビットに相当する複数のサブフレームは、該上位ビット又は該下位ビットのビット数がいずれか多い方の該上位ビット又は該下位ビットに相当する複数のサブフレームから選ばれる一のサブフレームを介して、サブフレームが選択されることを特徴とするものである。
【００２０】
本発明において、適用可能なトランジスタの種類に限定はなく、非晶質シリコンや多結晶シリコンに代表される非単結晶半導体膜を用いた薄膜トランジスタ（ＴＦＴ）、半導体基板やＳＯＩ基板を用いて形成されるＭＯＳ型トランジスタ、接合型トランジスタ、バイポーラトランジスタ、有機半導体やカーボンナノチューブを用いたトランジスタ、その他のトランジスタを適用することができる。また、トランジスタが配置されている基板の種類に限定はなく、単結晶基板、ＳＯＩ基板、ガラス基板、プラスチック基板などに配置することが出来る。
【００２１】
なお、本発明において、接続されているとは、電気的に接続されていることと同義である。したがって、本発明が開示する構成において、所定の接続関係に加え、その間に電気的な接続を可能とする他の素子（例えば、別の素子やスイッチなど）が配置されていてもよい。
【００２２】
また、上記で議論した「概略等しい重み付け」とは、各サブフレームにおいて重み付けされた発光回数や発光期間等が、人間の目で認識できない程度の差を有していても良いことを指す。表示に用いるビット数や、表示する階調によりその程度は異なるが、例えば６４階調で表示する場合、各サブフレームにおいて３階調異なっていても概略等しい重み付けがなされたと見なされる。
【発明の効果】
【００２３】
本発明では、疑似輪郭を低減することが可能となる。したがって、表示品位が向上し、綺麗な画像をみることが出来るようになる。
【発明を実施するための最良の形態】
【００２４】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。
【００２５】
（実施の形態１）
まずここでは、例として、５ビットで階調を表現する場合について考える。つまり、３２階調の場合について述べる。まず、表現したい階調（ここでは５ビット）を上位ビットと下位ビットとに分ける。ここでは例として、上位ビットを３ビット、下位ビットを２ビットとする。
【００２６】
本発明では、階調を分割した各々の領域（ここでは上位ビットおよび下位ビット）においては、各サブフレームにおける点灯期間（または、ある時間における点灯回数）を順次足し合わせていくことにより、階調を表現する。つまり、階調が大きくなるにしたがって、点灯するサブフレームが増えていくようにする。そのため、小さい階調において点灯しているサブフレームは、大きい階調においても点灯していることになる。このような階調方式を、重ね合わせ時間階調方式と呼ぶことにする。この重ね合わせ時間階調方式を、階調を分割した領域の各々において、適用する。これにより、全体の階調を表現する。
【００２７】
次に、具体例として、各階調におけるサブフレームの選択方法、つまり、各階調において各々のサブフレームを点灯させるのかどうかについて述べる。図１に、５ビットで階調を表現して、上位ビットを３ビット、下位ビットを２ビットとした場合のサブフレームの選択方法について示す。上位ビットは、サブフレーム数は７個（ＳＦ１〜ＳＦ７）である。これにより、３ビットつまり８階調を表現することが出来る。点灯期間の長さは全て４であるとする。ここで、階調数の１と点灯期間の長さの１とが対応するものとする。下位ビットは、サブフレーム数は３個（ＳＦ８〜ＳＦ１０）である。これにより、２ビットつまり４階調を表現することが出来る。点灯期間の長さは全て１であるとする。このように、上位ビットを７個のサブフレーム、下位ビットを３個のサブフレーム、合計サブフレーム数１０個で、５ビットの階調を表現することが出来る。
【００２８】
なお、上位ビットのサブフレームにおける点灯期間（または、ある時間における点灯回数、つまり、重み付けの量）の長さは、全て４であるとし、下位ビットのサブフレームにおける点灯期間（または、ある時間における点灯回数、つまり、重み付けの量）の長さは、全て１であるとしたが、これに限定されない。サブフレームによって、点灯期間（または、ある時間における点灯回数、つまり、重み付けの量）の長さが異なっていても良い。
【００２９】
例えば、上位ビットのサブフレームのうちのいくつかに関して、点灯期間を分割して、サブフレーム数を増やしても良い。一例としては、点灯期間が４のサブフレームを、点灯期間が２のサブフレームと点灯期間が２のサブフレームとに分けても良い。あるいは、点灯期間が１のサブフレームと点灯期間が３のサブフレームとに分けても良い。
【００３０】
なお、ずっと点灯し続ける場合は、点灯時間により階調を表現し、ある時間内において点滅し続ける場合には、点灯回数により階調を表現する。点灯回数を用いて階調を表現する代表的なディスプレイは、プラズマディスプレイである。点灯期間を用いて階調を表現する代表的なディスプレイは、有機ＥＬディスプレイである。
【００３１】
ここで、図１の見方について述べる。丸印がついているサブフレームでは点灯し、ばつ印がついているサブフレームでは非点灯となる。そして、各階調数において、どのサブフレームで点灯するかを選択することにより、階調を表現する。例えば、階調数０では、ＳＦ１〜ＳＦ１０は、非点灯になる。階調数１では、ＳＦ１〜ＳＦ７、ＳＦ９〜ＳＦ１０は非点灯となり、ＳＦ８は点灯となる。階調数４では、ＳＦ２〜ＳＦ１０は非点灯となり、ＳＦ１は点灯となる。階調数５では、ＳＦ２〜ＳＦ７、ＳＦ９〜ＳＦ１０は非点灯となり、ＳＦ１、ＳＦ８は点灯となる。階調数８では、ＳＦ３〜ＳＦ１０は非点灯となり、ＳＦ１、ＳＦ２は点灯となる。なお、ＳＦ１〜ＳＦ７は上位ビット用のサブフレームであり、ＳＦ８〜ＳＦ１０は下位ビット用のサブフレームである。
【００３２】
次に、階調数の表現方法、つまり、各サブフレームの選択方法について述べる。上位ビット３ビット分は、重ね合わせ時間階調方式を用いるため、階調数０〜３までは、ＳＦ１〜ＳＦ７は全て非点灯となる。階調数４〜７までは、ＳＦ１は点灯、ＳＦ２〜ＳＦ７は全て非点灯となる。階調数８〜１１までは、ＳＦ１、ＳＦ２は点灯、ＳＦ３〜ＳＦ７は全て非点灯となる。階調数１２〜１５までは、ＳＦ１、ＳＦ２、ＳＦ３は点灯、ＳＦ４〜ＳＦ７は全て非点灯となる。さらに階調数が大きくなるときも同様に、点灯、非点灯を選択する。
【００３３】
このように、上位３ビットは、各サブフレームにおける点灯期間を順次足し合わせていくことにより、階調を表現する。つまり、階調数が大きくなるにしたがって、点灯するサブフレームが増えていくようにする。そのため、ＳＦ１は、階調数４以上では全て点灯しており、ＳＦ２は、階調数８以上では、全て点灯しており、ＳＦ３は、階調数１２以上では全て点灯している。ＳＦ４〜ＳＦ７についても同様である。つまり、小さい階調数において点灯しているサブフレームは、大きい階調数においても点灯していることになる。
【００３４】
このような駆動法にすることにより、疑似輪郭を低減することが出来る。なぜなら、ある階調において、それよりも低い階調において点灯しているサブフレームは、全て点灯しているからである。よって、視線が動いても、階調の変わり目において、不正確な明るさで見えてしまうことを防ぐことが出来る。
【００３５】
下位ビット２ビット分も、重ね合わせ時間階調方式を用いるため、階調数０、４、８、１２、１６・・・では、ＳＦ８〜ＳＦ１０は全て非点灯となる。階調数１、５、９、１３、１７・・・では、ＳＦ８は点灯、ＳＦ９〜ＳＦ１０は全て非点灯となる。階調数２、６、１０、１４、１８・・・では、ＳＦ８、ＳＦ９は点灯、ＳＦ１０は非点灯となる。階調数３、７、１１、１５、１９・・・では、ＳＦ８〜ＳＦ１０は全て点灯となる。
【００３６】
このように、下位２ビットも、各サブフレームにおける点灯期間を順次足し合わせていくことにより、階調を表現する。つまり、下位ビットの範囲内において、階調数が大きくなるにしたがって、点灯するサブフレームが増えていくようにする。つまり、下位ビットの範囲内においては、小さい階調数において点灯しているサブフレームは、下位ビットの範囲内での大きい階調数においても点灯していることになる。
【００３７】
このような駆動法にすることにより、疑似輪郭を低減することが出来る。なぜなら、下位ビットの範囲内において、ある階調数よりも低い階調数において点灯しているサブフレームは、下位ビットの範囲内において、そのある階調数よりも高い階調数において全て点灯しているからである。よって、視線が動いても、階調数の変わり目において、不正確な明るさで見えてしまうことを防ぐことが出来る。
【００３８】
このように図１では、上位ビットを３ビット、下位ビットを２ビットとした場合のサブフレームの選択方法について示した。次に、上位ビットを２ビット、下位ビットを３ビットとした場合のサブフレームの選択方法について、図２に示す。
【００３９】
上位２ビットは、サブフレーム数は３個（ＳＦ１〜ＳＦ３）である。これにより、２ビットつまり４階調を表現することが出来る。下位３ビットは、サブフレーム数は７個（ＳＦ４〜ＳＦ１０）である。これにより、３ビットつまり８階調を表現することが出来る。このように、上位ビットを３個のサブフレーム、下位ビットを７個のサブフレーム、合計サブフレーム数１０個で、５ビットの階調を表現することができる。
【００４０】
疑似輪郭がでやすいのは、サブフレームの選択方法が時間的または場所的に大きく変わるときある。よって、図１の場合は、階調数が３から４に変わったとき、階調数が７から８に変わったとき、階調数が１２から１３に変わったときなどに出やすい。図１の場合は、そのような箇所が７カ所ある。ただし、異なるサブフレームの点灯期間の総和の差は小さい。よって、疑似輪郭の強度は小さいので、見えにくい。
【００４１】
一方、図２の場合は、階調数が７から８に変わったとき、階調数が１５から１６に変わったとき、階調数が２３から２４に変わったときなどに出やすい。図２の場合は、そのような箇所が３カ所ある。ただし、異なるサブフレームの点灯期間の総和は大きい。よって、疑似輪郭の強度は大きいので、見えやすくなってしまう。
【００４２】
したがって、図１の場合は、疑似輪郭の出る回数は多いが、疑似輪郭の強度は弱く、一方、図２の場合は、疑似輪郭の出る回数は少ないが、疑似輪郭の強度は強い。以上のことを考えて、上位ビット、下位ビットの分け方を決定すればよい。
【００４３】
なお、上位ビットを２ビット、下位ビットを３ビットとした場合、上位ビットでのサブフレームにおける点灯期間の長さは、８になる。なぜなら、下位ビットは、３ビット分だからである。３ビット、すなわち、８階調を表現することができるため、上位ビットでは、点灯期間が最大８ずつ増えていく必要がある。以上のことから、上位ビットでのサブフレームにおける点灯期間の長さは、下位ビットにおける最大階調数での点灯期間の長さと等しいか、それ以下にすることが望ましい。上位ビットでのサブフレームにおける点灯期間の長さが、下位ビットにおける最大階調数での点灯期間の長さよりも小さい場合は、下位ビットにおいて、サブフレームの選び方のうちの幾つかを、実際には用いない、ということになるだけである。
【００４４】
なお、点灯期間の長さは、全体の階調数（ビット数）や全体のサブフレーム数などにより、適宜変わるものである。よって、点灯期間の長さが同じであっても、全体の階調数（ビット数）や全体のサブフレーム数が変われば、実際に点灯している期間の長さ（例えば、何μｓであるか）については、変わる可能性がある。
【００４５】
次に、６ビットで階調を表現する場合について考える。図３に、上位ビットを３ビット、下位ビットを３ビットとした場合のサブフレームの選択方法について示す。
【００４６】
上位３ビットは、サブフレーム数は７個（ＳＦ１〜ＳＦ７）である。これにより、３ビットつまり８階調を表現することが出来る。下位３ビットは、サブフレーム数は７個（ＳＦ８〜ＳＦ１４）である。これにより、３ビットつまり８階調を表現することが出来る。上位ビットでのサブフレームにおける点灯期間の長さは、８になる。このように、上位ビットを７個のサブフレーム、下位ビットを７個のサブフレーム、合計サブフレーム数１４個で、６ビットの階調を表現することが出来る。
【００４７】
なお、図２と同様、６ビットで階調を表現する場合においても、上位ビットと下位ビットとを任意に分けて、重ね合わせ時間階調方式を用いて、階調を表現することが可能となる。
【００４８】
このように、図１〜図３では、５ビットや６ビットの階調を表現する場合について述べてきたが、同様にすることにより、様々なビット数に対応させることが可能となる。つまり、ｎビットで階調を表現する場合、上位ビットをａビット、下位ビットをｂビットとすると、上位ビットでは、サブフレーム数は少なくとも（２ａ  −１）個であり、下位ビットでは、サブフレーム数は少なくとも（２ｂ  −１）個となる。上位ビットでのサブフレームにおける点灯期間の長さは、２ｂになる。
【００４９】
このように、階調を複数の領域に分けて、各々の領域において重ね合わせ時間階調方式を用いることにより、サブフレーム数を多くせずに、疑似輪郭を低減したり、階調数を大きくして表示させることが可能となる。
【００５０】
なお、１つの階調を表現する場合、サブフレームの選択の仕方が複数ある場合がある。よって、ある階調数において、サブフレームの選択の仕方をどれにするかについて、時間的に、または、場所的に変更してもよい。つまり、時刻によって、サブフレームの選択の仕方を変えても良いし、画素によって、サブフレームの選択の仕方を変えても良い。さらに、時刻によって変えて、かつ、画素によっても変えてもよい。
【００５１】
例えば、ある階調数を表現するとき、あるフレームが奇数番目のときと、偶数番目のときとで、サブフレームの選択の仕方を変えてもよい。また、ある階調数を表現するとき、奇数行目の画素を表示するときと、偶数行目の画素を表示するときとで、サブフレームの選択の仕方を変えてもよい。また、ある階調数を表現するとき、奇数列目の画素を表示するときと、偶数列目の画素を表示するときとで、サブフレームの選択の仕方を変えてもよい。
【００５２】
なお、これまでは、重ね合わせ時間階調方式を用いて階調を表現する場合について述べてきたが、さらに別の階調表現方法を組み合わせても良い。例えば、面積階調方式と組み合わせても良い。１つの画素をさらに複数のサブ画素に分割して、点灯している面積を変えることにより、階調を表現する。そのため、疑似輪郭をさらに抑制することが可能となる。
【００５３】
これまでは、階調数が増えると、それに線形に比例して点灯期間が増えている場合について述べた。そこで次に、ガンマ補正を行った場合について述べる。ガンマ補正とは、階調数が増えると、非線形で点灯期間が増えていくようにしたものを指す。人間の目は、輝度が線形に比例して大きくなっても、比例して明るくなっているとは感じない。輝度が高くなるほど、明るさの差を感じにくくなっている。よって、人間の目で、明るさの差を感じるようにするためには、階調数が増えていくにしたがって、点灯期間をより長くとる、つまり、ガンマ補正を行う必要がある。
【００５４】
最も単純な方法は、実際に表示するビット数（階調数）よりも、多くのビット数（階調数）で表示できるようにしておく、というものである。例えば、６ビット（６４階調）で表示を行うとき、実際には、８ビット（２５６階調）を表示できるようにしておく。そして、実際に表示するときには、階調数の輝度が非線形になるようにして、６ビット（６４階調）で表示する。これにより、ガンマ補正を実現出来る。
【００５５】
一例として、６ビットで表示できるようにしておいて、ガンマ補正を行って５ビットで表示する場合のサブフレームの選択方法について、図４に示す。図４では、５ビットでの階調数が１２までは、６ビットでの階調数と同じである。しかし、ガンマ補正済みの５ビットでの階調数が１３のときは、実際には６ビットの階調数１４のサブフレームの選択方法で点灯させる。同様に、ガンマ補正済みの５ビットでの階調数が１４のときは、実際には６ビットの階調数１６で表示させ、ガンマ補正済みの５ビットでの階調数が１５のときは、実際には６ビットの階調数１８で表示させる。このように、ガンマ補正済みの５ビットでの階調数と、６ビットでの階調数との対応表を作成し、それに応じて、表示させればよい。これにより、ガンマ補正を実現出来る。
【００５６】
なお、ガンマ補正済みの５ビットでの階調数と、６ビットでの階調数との対応表は、適宜変更することが可能である。よって、対応表を変更することにより、ガンマ補正の程度を容易に変更することが可能である。
【００５７】
また、何ビット（例えばｐビット、ここでｐは整数）を表示できるようにしておいて、ガンマ補正済みで何ビット（例えばｑビット、ここでｑは整数）で表示するのかについても、これに限定されない。ガンマ補正済みで表示する場合、階調をなめらかに表現するためには、ビット数ｐを出来るだけ大きくしておくことが望ましい。ただし、あまり大きくしすぎると、サブフレーム数が多くなってしまうなど、弊害も出てきてしまう。よって、ビット数ｑとビット数ｐとの関係は、ｑ＋２≦ｐ≦ｑ＋５、とすることが望ましい。これにより、階調をなめらかに表現しつつ、サブフレーム数も増えすぎない、ということを実現できる。
【００５８】
別のガンマ補正の方法としては、上位ビットにおいて、重ね合わせ時間階調方式を用いる場合、そのサブフレームにおける点灯期間の長さが異なるようにするというものである。
【００５９】
例として、階調数０から１５までは、通常通りで、階調数１６から３１までは、階調数に対する点灯期間の変化量を２倍にした場合のサブフレームの選択方法を図５に示す。この場合、図１と比較すると、上位ビット向けである重ね合わせ時間階調方式で用いるサブフレームの中で、より上位のビットのサブフレームに対応するサブフレーム５（ＳＦ５）〜サブフレーム７（ＳＦ７）までの各々の点灯期間が２倍になっていることと、下位ビット向けとして、サブフレームが追加になっていて、追加分のサブフレームの点灯期間が２倍になっていることとが異なる。
【００６０】
階調数０から１５までは、下位ビット向けに用いるサブフレームは、ＳＦ８〜ＳＦ１０である。一方、階調数１６から３１までは、下位ビット向けに用いるサブフレームは、ＳＦ１１〜ＳＦ１３である。このようにすることにより、階調が大きくなっていくにしたがって、なめらかに点灯期間も変化していくようになる。
【００６１】
このようにすることにより、疑似輪郭を低減することが可能となる。
【００６２】
なお、階調数１６から３１までにおいて、下位ビット向けに用いるサブフレームとして、ＳＦ１１〜ＳＦ１３以外のサブフレームを用いても良い。それにより、サブフレーム数を低減することが可能となる。一例として、図５におけるサブフレームＳＦ１１のかわりに、サブフレームＳＦ９とＳＦ１０を用いて、サブフレーム数を低減した例を図６に示す。
【００６３】
なお、図５や図６では、上位ビット向けに用いるサブフレームにおける点灯期間の長さを２倍で異なるようにしたが、これに限定されない。ガンマ補正を行うときのガンマ値によって、調整すればよい。つまり、上位ビット向けに用いるサブフレームにおける点灯期間の長さが、異なっていて、より長くなるようになっていればよい。
【００６４】
なお、図５、図６では、階調の領域を２つにわけていたが、これに限定されない。もっと多くの領域に分けてもよい。一例として、４つに分けた場合を図７に示す。
【００６５】
まず、領域を階調数０から７までと、階調数８から１５までと、階調数１６から２３までと、階調数２４から３１までに分ける。そして、階調数０から７までは通常通りで、階調数８から１５までは、階調数に対する点灯期間の変化量が２倍になっており、階調数１６から２３までは、階調数に対する点灯期間の変化量がさらに２倍になっており、階調数２４から３１までは、階調数に対する点灯期間の変化量がさらに２倍になっている。この場合、上位ビット向けである重ね合わせ時間階調方式で用いるサブフレームの中で、より上位のビットのサブフレームになるほど、点灯期間が２倍ずつ長くなっている。また、下位ビット向けとして、サブフレームが追加になっていて、追加分のサブフレームの点灯期間も順次２倍ずつになっている。
【００６６】
階調数０から７までは、下位ビット向けに用いるサブフレームは、ＳＦ８〜ＳＦ１０であり、階調数８から１５までは、下位ビット向けに用いるサブフレームは、ＳＦ１１〜ＳＦ１３であり、階調数１６から２３までは、下位ビット向けに用いるサブフレームは、ＳＦ１４〜ＳＦ１６であり、階調数２４から３１までは、下位ビット向けに用いるサブフレームは、ＳＦ１７〜ＳＦ１９である。このようにすることにより、階調数が大きくなっていくにしたがって、なめらかに点灯期間も変化していくようになる。
【００６７】
なお、下位ビット向けに用いるサブフレームに関して、分割した階調の領域ごとに必ずしも分けておかなくてもよい。それにより、サブフレーム数を低減することが可能となる。一例として、図７におけるサブフレームＳＦ１１のかわりに、サブフレームＳＦ９とＳＦ１０を用い、サブフレームＳＦ１４のかわりに、サブフレームＳＦ１２とＳＦ１３を用い、サブフレームＳＦ１７のかわりに、サブフレームＳＦ１５とＳＦ１６を用いて、サブフレーム数を低減した例を図８に示す。
【００６８】
なお、階調の領域ごとに、階調数に対する点灯期間の長さが２倍ずつ大きくなっているが、これに限定されない。４倍ずつや８倍ずつなど、２のべき乗ずつ大きくなっていってもよい。あるいは、少しずつ大きくなっていってもよい。ガンマ補正を行うときのガンマ値によって、調整すればよい。つまり、重ね合わせ時間階調方式で用いるサブフレームにおける点灯期間の長さが、異なっていて、より長くなるようになっていればよい。
【００６９】
ここまでは、階調の表現方法、つまり、サブフレームの選択方法について述べた。次に、サブフレームの出現順序について述べる。
【００７０】
ここでは、例として、図１の場合を用いるが、これに限定されず、他の図に対しても同様に適用できる。
【００７１】
まず、最も基本的なものは、ＳＦ８、ＳＦ９、ＳＦ１０、ＳＦ１、ＳＦ２、ＳＦ３、ＳＦ４、ＳＦ５、ＳＦ６、ＳＦ７という順序で１フレームが構成される、というものである。最も点灯期間が短いものから、サブフレームが始まり、その後は、重ね合わせ時間階調方式において、点灯していくサブフレームが順序よくならんでいく、というものである。
【００７２】
または、逆の順序として、ＳＦ７、ＳＦ６、ＳＦ５、ＳＦ４、ＳＦ３、ＳＦ２、ＳＦ１、ＳＦ１０、ＳＦ９、ＳＦ８でもよい。また、上位ビットでのサブフレームと下位ビットでのサブフレームとが出現する順序が逆でもよい。例えば、ＳＦ１、ＳＦ２、ＳＦ３、ＳＦ４、ＳＦ５、ＳＦ６、ＳＦ７、ＳＦ８、ＳＦ９、ＳＦ１０でもよい。
【００７３】
次は、上位ビットでのサブフレームの間のどこかに、下位ビットでのサブフレームが挿入されている、というものである。例えば、ＳＦ１、ＳＦ８、ＳＦ２、ＳＦ９、ＳＦ３、ＳＦ１０、ＳＦ４、ＳＦ５、ＳＦ６、ＳＦ７という感じで、下位ビットでのサブフレームＳＦ８、ＳＦ９、ＳＦ１０が、上位ビットでのサブフレームであるＳＦ１とＳＦ２の間、ＳＦ２とＳＦ３の間、ＳＦ３とＳＦ４の間に挿入されている。なお、下位ビットでのサブフレームを挿入する場所は、これに限定されない。また、挿入するサブフレーム数も、これに限定されない。
【００７４】
このように、下位ビットでのサブフレームを上位ビットでのサブフレームの順序の中に挿入することにより、目が誤魔化されるため、疑似輪郭がより見えにくくなる。
【００７５】
そこで、５ビットの場合で、ＳＦ８、ＳＦ１、ＳＦ２、ＳＦ９、ＳＦ３、ＳＦ４、ＳＦ１０、ＳＦ５、ＳＦ６、ＳＦ７という順序で並べた場合について、図９に示す。画素Ａでは、階調数１５を表示し、画素Ｂでは、階調数１６で表示しているとする。ここで、視線がうごいたとすると、視線の追い方によって、視線９０２のときは階調数が１８（＝１＋４＋４＋１＋４＋４）と感じ、視線９０１のときは、階調数が１３（＝４＋４＋４＋１）と感じてしまう。本来は、階調数が１５と１６に見えるべきであるが、階調数が１８から１３くらいで見えている。よって、階調のずれが小さいため、疑似輪郭が低減されている。
【００７６】
なお、上位ビットにおけるサブフレームは、点灯していく順に並んでいてもよいし（例えば、ＳＦ１、ＳＦ２、ＳＦ３、ＳＦ４、ＳＦ５、ＳＦ６、ＳＦ７）、その逆順でもよい（例えば、ＳＦ７、ＳＦ６、ＳＦ５、ＳＦ４、ＳＦ３、ＳＦ２、ＳＦ１）。あるいは、真ん中から徐々に点灯していくようにしてもよい（ＳＦ７、ＳＦ５、ＳＦ１、ＳＦ３、ＳＦ２、ＳＦ４、ＳＦ６）。このようにすることにより、１フレーム目から２フレーム目に変わるときに、切り替わり目で疑似輪郭が出てしまうことを少なくすることが出来る。いわゆる、動画疑似輪郭を低減することが可能となる。
【００７７】
あるいは、全くランダムな順序に並んでいてもよい（例えば、ＳＦ１、ＳＦ６、ＳＦ２、ＳＦ４、ＳＦ３、ＳＦ５、ＳＦ７）。このようにすることにより、目が誤魔化されやすくなるため、疑似輪郭がより見えにくくなる。
【００７８】
例として、１フレーム全体のサブフレームの出現順序が、ＳＦ８、ＳＦ１、ＳＦ５、ＳＦ９、ＳＦ２、ＳＦ６、ＳＦ１０、ＳＦ４、ＳＦ７、ＳＦ３、というように並んでいるとする。これは、上位ビットにおけるサブフレームがランダムな順にならんでおり、下位ビットにおけるサブフレームが、上位ビットにおけるサブフレームの間に配置されているものに相当する。
【００７９】
その場合を、図１０に示す。ここで、視線がうごいたとすると、視線の追い方によって、視線１００２のときは階調数が１８（＝１＋４＋１＋４＋４＋４）と感じ、視線１００１のときは、階調数が１３（＝４＋４＋１＋４）と感じてしまう。本来は、階調数が１５と１６に見えるべきであるが、階調数が１３から１８くらいで見えている。よって、図９の場合と、図１０の場合とでは、大差ない。
【００８０】
しかし、視線が急激に動いたとする。例えば、図９の場合において、視線が急激に動いた場合を図１１に示す。視線が急激にうごいたとすると、視線の追い方によって、視線１１０１のときは階調数が１９（＝１＋４＋４＋１＋４＋４＋１）と感じ、視線１１０２のときは、階調数が１２（＝４＋４＋４）と感じてしまう。本来は、階調数が１５と１６に見えるべきであるが、階調数が１２から１９くらいで見えてしまう。
【００８１】
一方、図１０の場合において、視線が急激に動いた場合を図１２に示す。視線が急激にうごいたとすると、視線の追い方によって、視線１２０１のときは階調数が１５（＝１＋４＋１＋４＋１＋４）と感じ、視線１２０２のときは、階調数が１６（＝４＋４＋４＋４）と感じてしまう。本来は、階調数が１５と１６に見えるべきであるが、正しく見えている。よって、図１１の場合と、図１２の場合とでは、大きく異なる。つまり、重ね合わせ時間階調方式におけるサブフレームにおいても、出来るだけランダムに配置した方が、疑似輪郭を低減する効果は高くなる。
【００８２】
このように、上位ビットにおけるサブフレームの順序を決定し、そのサブフレームの間に、下位ビットでのサブフレームを挿入する形で、全体のサブフレームの出現順序を決めればよい。
【００８３】
このとき、下位ビットでのサブフレームは、点灯期間が短い順に並んでも良いし（例えば、ＳＦ８、ＳＦ９、ＳＦ１０）、その逆順でもよい（例えば、ＳＦ１０、ＳＦ９、ＳＦ８）。あるいは、真ん中から徐々に点灯していくようにしてもよい。あるいは、全くランダムな順序に並んでいてもよい。このようにすることにより、目が誤魔化されやすくなるため、疑似輪郭がより見えにくくなる。
【００８４】
また、上位ビットにおけるサブフレームの間に、下位ビットでのサブフレームを挿入する場合、そのサブフレーム数に限定はない。
【００８５】
また、下位ビットにおけるサブフレームの順序を決定し、そのサブフレームの間に、上位ビットでのサブフレームを挿入する形で、全体のサブフレームの出現順序を決めてもよい。
【００８６】
このように、上位ビットにおけるサブフレームの間に、下位ビットにおけるサブフレームを配置して、サブフレームが偏在しないようにする。その結果、目が誤魔化されて、疑似輪郭を低減出来る。
【００８７】
例として、図１の場合について、サブフレームの出現順序のパターン例を図１３に示す。
【００８８】
１つ目のパターンとしては、ＳＦ１、ＳＦ２、ＳＦ３、ＳＦ４、ＳＦ５、ＳＦ６、ＳＦ７、ＳＦ８、ＳＦ９、ＳＦ１０、というものである。下位ビットにおけるサブフレームが、最後にまとまって配置されている。
【００８９】
２つ目のパターンとしては、ＳＦ８、ＳＦ９、ＳＦ１０、ＳＦ１、ＳＦ２、ＳＦ３、ＳＦ４、ＳＦ５、ＳＦ６、ＳＦ７、というものである。下位ビットにおけるサブフレームが、最初にまとまって配置されている。
【００９０】
３つ目のパターンとしては、ＳＦ１、ＳＦ２、ＳＦ３、ＳＦ４、ＳＦ８、ＳＦ９、ＳＦ１０、ＳＦ６、ＳＦ７、ＳＦ５、というものである。下位ビットにおけるサブフレームが、真ん中にまとまって配置されている。
【００９１】
４つ目のパターンとしては、ＳＦ１、ＳＦ２、ＳＦ８、ＳＦ３、ＳＦ４、ＳＦ９、ＳＦ５、ＳＦ６、ＳＦ１０、ＳＦ７というものである。上位ビットにおけるサブフレームは、順序よく並んでいる。下位ビットにおけるサブフレームも、順序よく並んでいる。そして、上位ビットにおけるサブフレームが２つ並んだ後、下位ビットにおけるサブフレームが１つ配置されている。
【００９２】
５つ目のパターンとしては、ＳＦ１、ＳＦ２、ＳＦ９、ＳＦ３、ＳＦ４、ＳＦ８、ＳＦ５、ＳＦ６、ＳＦ１０、ＳＦ７というものである。これは、４つ目のパターンに対して、下位ビットにおけるサブフレームの出現順序をランダムにしたものである。
【００９３】
６つ目のパターンとしては、ＳＦ１、ＳＦ５、ＳＦ８、ＳＦ２、ＳＦ７、ＳＦ９、ＳＦ３、ＳＦ６、ＳＦ１０、ＳＦ４というものである。これは、４つ目のパターンに対して、上位ビットにおけるサブフレームの出現順序をランダムにしたものである。
【００９４】
７つ目のパターンとしては、ＳＦ１、ＳＦ５、ＳＦ９、ＳＦ２、ＳＦ７、ＳＦ８、ＳＦ３、ＳＦ６、ＳＦ１０、ＳＦ４というものである。これは、４つ目のパターンに対して、上位ビットにおけるサブフレームの出現順序と、下位ビットにおけるサブフレームの出現順序とをランダムにしたものである。
【００９５】
８つ目のパターンとしては、ＳＦ１、ＳＦ２、ＳＦ８、ＳＦ３、ＳＦ９、ＳＦ４、ＳＦ５、ＳＦ６、ＳＦ１０、ＳＦ７というものである。これは、上位ビットにおけるサブフレームが２つ並んだ後、下位ビットにおけるサブフレームが１つ配置され、上位ビットにおけるサブフレームが１つ配置され、下位ビットにおけるサブフレームが１つ配置され、上位ビットにおけるサブフレームが３つ配置され、下位ビットにおけるサブフレームが１つ配置され、上位ビットにおけるサブフレームが一つ配置されたものである。
【００９６】
９つ目のパターンとしては、ＳＦ１、ＳＦ２、ＳＦ３、ＳＦ４、ＳＦ８、ＳＦ９、ＳＦ５、ＳＦ６、ＳＦ７、ＳＦ１０というものである。これは、上位ビットにおけるサブフレームが４つ並んだ後、下位ビットにおけるサブフレームが２つ配置され、上位ビットにおけるサブフレームが３つ配置され、下位ビットにおけるサブフレームが１つ配置されたものである。
【００９７】
このように、上位のビットに相当する複数のサブフレームのうちの一つのサブフレームが点灯し、その後、下位のビットに相当する一つ以上のサブフレームのうちの一つのサブフレームが点灯し、その後、上位のビットに相当する複数のサブフレームのうちの別の一つのサブフレームが点灯する、とすることが望ましい。
【００９８】
また、下位のビットに相当する複数のサブフレームのうちの一つのサブフレームが点灯し、その後、上位のビットに相当する複数のサブフレームのうちの一つのサブフレームが点灯し、その後、下位のビットに相当する複数のサブフレームのうちの別の一つのサブフレームが点灯する、とすることが望ましい。
【００９９】
また、下位のビットに相当する複数のサブフレームのうちの一つのサブフレームが点灯し、その後、上位のビットに相当する複数のサブフレームのうちの複数のサブフレームが点灯し、その後、前記下位のビットに相当する複数のサブフレームのうちの別の一つのサブフレームが点灯する、とすることが望ましい。
【０１００】
また、上位のビットに相当する複数のサブフレームのうちの一つのサブフレームが点灯し、その後、下位のビットに相当する複数のサブフレームのうちの複数のサブフレームが点灯し、その後、上位のビットに相当する複数のサブフレームのうちの別の一つのサブフレームが点灯する、とすることが望ましい。
【０１０１】
なお、サブフレームの出現順序は、時刻によって変化してもよい。例えば、１フレーム目と２フレーム目とで、サブフレームの出現順序が変わっても良い。また、サブフレームの出現順序は、場所によって変わっても良い。例えば、画素Ａと画素Ｂとで、サブフレームの出現順序が変わっても良い。また、それらを組み合わせて、サブフレームの出現順序が、時刻によって変化して、かつ、場所によって変化してもよい。
【０１０２】
なお、通常のフレーム周波数は、６０ヘルツであるが、これに限定されない。フレーム周波数をもっと上げることにより、疑似輪郭を低減してもよい。例えば、通常の倍の周波数１２０ヘルツ程度で動作させてもよい。
【０１０３】
（実施の形態２）
本実施の形態では、タイミングチャートの例について述べる。サブフレームの選択方法は、一例として、図１のものを用いることにするが、これに限定されず、他のサブフレームの選択方法や他の階調数などにも容易に適用可能である。
【０１０４】
また、サブフレームが出現する順番は、一例として、ＳＦ１、ＳＦ８、ＳＦ２、ＳＦ９、ＳＦ３、ＳＦ１０、ＳＦ４、ＳＦ５、ＳＦ６、ＳＦ７であるとするが、これに限定されず、他の順番にも容易に適用可能である。
【０１０５】
まず、画素に信号を書き込む期間と点灯する期間とが分離されている場合のタイミングチャートを図１４に示す。まず、信号書き込み期間において、１画面分の信号を全画素に入力する。この間は、画素は点灯しない。信号書き込み期間が終了したのち、点灯期間が始まり、画素が点灯する。そのときの点灯期間の長さは、４である。次に、次のサブフレームが始まり、信号書き込み期間において、１画面分の信号を全画素に入力する。この間は、画素は点灯しない。信号書き込み期間が終了したのち、点灯期間が始まり、画素が点灯する。そのときの点灯期間の長さは、１である。
【０１０６】
同様のことを繰り返すことにより、点灯期間の長さが、４、１、４、１、４、１、４、４、４、４という順序で配置される。
【０１０７】
このように、画素に信号を書き込む期間と点灯する期間とが分離されている駆動方法は、プラズマディスプレイに適用することが好適である。なお、プラズマディスプレイに用いる場合は、初期化の動作などが必要になる。しかしながら、簡単のため、省略している。
【０１０８】
また、この駆動方法は、ＥＬディスプレイ（有機ＥＬディスプレイ、無機ＥＬディスプレイ又は無機材料と有機材料とを含む素子からなるディスプレイなど）やフィールドエミッションディスプレイやデジタル・マイクロミラー・デバイス（ＤＭＤ）を用いたディスプレイなどに適用することも好適である。
【０１０９】
その場合の画素構成を図１５に示す。ゲート線１５０７を選択して、選択トランジスタ１５０１をオン状態にして、信号線１５０５から信号を保持容量１５０２に入力する。すると、その信号に応じて、駆動トランジスタ１５０３の電流が制御され、第１電源線１５０６から、表示素子１５０４を通って、第２電源線１５０８に電流が流れる。
【０１１０】
なお、信号書き込み期間においては、第１電源線１５０６と第２電源線１５０８の電位を制御することにより、表示素子１５０４には電圧が加わらないようにしておく。その結果、信号書き込み期間において、表示素子１５０４が点灯することを避けることが出来る。
【０１１１】
次に、画素に信号を書き込む期間と点灯する期間とが分離されていない場合のタイミングチャートを図１６に示す。各行において、信号書き込み動作を行うと、すぐに点灯期間が開始する。
【０１１２】
ある行において、信号を書き込み、所定の点灯期間が終了したのち、次のサブフレームにおける信号の書き込み動作を開始する。これを繰り返すことにより、点灯期間の長さが、４、１、４、１、４、１、４、４、４、４という順序で配置される。
【０１１３】
このようにすることにより、信号の書き込み動作が遅くても、１フレーム内にたくさんのサブフレームを配置することが可能となる。
【０１１４】
このような駆動方法は、プラズマディスプレイに適用することが好適である。なお、プラズマディスプレイに用いる場合は、初期化の動作などが必要になるが、簡単のため、省略している。
【０１１５】
また、この駆動方法は、ＥＬディスプレイやフィールドエミッションディスプレイやデジタル・マイクロミラー・デバイス（ＤＭＤ）を用いたディスプレイなどに適用することも好適である。
【０１１６】
その場合の画素構成を図１７に示す。第１ゲート線１７０７を選択して、第１選択トランジスタ１７０１をオン状態にして、第１信号線１７０５から信号を保持容量１７０２に入力する。すると、その信号に応じて、駆動トランジスタ１７０３の電流が制御され、第１電源線１７０６から、表示素子１７０４を通って、第２電源線１７０８に電流が流れる。同様に、第２ゲート線１７１７を選択して、第２選択トランジスタ１７１１をオン状態にして、第２信号線１７１５から信号を保持容量１７０２に入力する。すると、その信号に応じて、駆動トランジスタ１７０３の電流が制御され、第１電源線１７０６から、表示素子１７０４を通って、第２電源線１７０８に電流が流れる。
【０１１７】
第１ゲート線１７０７と第２ゲート線１７１７とは、別々に制御出来る。同様に、第１信号線１７０５と第２信号線１７１５とは、別々に制御出来る。よって、同時に２行分の画素に信号を入力することが可能であるため、図１６のような駆動法が実現出来る。
【０１１８】
なお、図１５の回路を用いて、図１６のような駆動法を実現することも可能である。その場合のタイミングチャートを図１８に示す。図１８に示すように、１ゲート選択期間を複数（図１８では２つ）に分割する。そして、分割された選択期間内で、各々のゲート線を選択し、その時に対応する信号を第１信号線１７０５に入力する。例えば、ある１ゲート選択期間において、前半はｉ行目を選択し、後半はｊ行目を選択する。すると、１ゲート選択期間において、あたかも同時に２行分を選択したかのように動作させることが可能となる。
【０１１９】
なお、このような駆動方法の詳細については、例えば、特開２００１−３２４９５８号公報等に記載されており、その内容を本願と組み合わせて適用することが出来る。
【０１２０】
次に、画素の信号を消去する動作を行う場合のタイミングチャートを図１９に示す。各行において、信号書き込み動作を行い、次の信号書き込み動作が来る前に、画素の信号を消去する。このようにすることにより、点灯期間の長さを容易に制御できるようになる。
【０１２１】
ある行において、信号を書き込み、所定の点灯期間が終了したのち、次のサブフレームにおける信号の書き込み動作を開始する。もし、点灯期間が短い場合は、信号消去動作を行い、非点灯状態にする。このようなを繰り返すことにより、点灯期間の長さが、４、１、４、１、４、１、４、４、４、４という順序で配置される。
【０１２２】
なお、図１９では、点灯期間が１と２の場合において、信号消去動作を行っているが、これに限定されない。他の点灯期間においても、消去動作を行っても良い。
【０１２３】
このようにすることにより、信号の書き込み動作が遅くても、１フレーム内にたくさんのサブフレームを配置することが可能となる。また、消去動作を行う場合は、消去用のデータをビデオ信号と同様に取得する必要がないため、ソースドライバの駆動周波数も低減出来る。
【０１２４】
このような駆動方法は、プラズマディスプレイに適用することが好適である。なお、プラズマディスプレイに用いる場合は、初期化の動作などが必要になるが、簡単のため、省略している。
【０１２５】
また、この駆動方法は、ＥＬディスプレイやフィールドエミッションディスプレイやデジタル・マイクロミラー・デバイス（ＤＭＤ）を用いたディスプレイなどに適用することも好適である。
【０１２６】
その場合の画素構成を図２０に示す。第１ゲート線２００７を選択して、選択トランジスタ２００１をオン状態にして、信号線２００５から信号を保持容量２００２に入力する。すると、その信号に応じて、駆動トランジスタ２００３の電流が制御され、第１電源線２００６から、表示素子２００４を通って、第２電源線２００８に電流が流れる。
【０１２７】
信号を消去したい場合は、第２ゲート線２０１７を選択して、消去トランジスタ２０１１をオン状態にして、駆動トランジスタ２００３がオフ状態になるようにする。すると、第１電源線２００６から、表示素子２００４を通って、第２電源線２００８には、電流が流れないようになる。その結果、非点灯期間を作ることができ、点灯期間の長さを自由に制御できるようになる。
【０１２８】
図２０では、消去トランジスタ２０１１を用いていたが、別の方法を用いることも出来る。なぜなら、強制的に非点灯期間をつくればよいので、表示素子２００４に電流が供給されないようにすればよいからである。よって、第１電源線２００６から、表示素子２００４を通って、第２電源線２００８に電流が流れる経路のどこかに、スイッチを配置して、そのスイッチのオンオフを制御して、非点灯期間を作ればよい。あるいは、駆動トランジスタ２００３のゲート・ソース間電圧を制御して、駆動トランジスタが強制的にオフになるようにすればよい。
【０１２９】
駆動トランジスタを強制的にオフにする場合の画素構成の例を図２１に示す。選択トランジスタ２１０１、駆動トランジスタ２１０３、消去ダイオード２１１１、表示素子２１０４が配置されている。選択トランジスタ２１０１のソースとドレインは各々、信号線２１０５と駆動トランジスタ２１０３のゲートに接続されている。選択トランジスタ２１０１のゲートは、第１ゲート線２１０７に接続されている。駆動トランジスタ２１０３のソースとドレインは各々、電源線２１０６と表示素子２１０４に接続されている。消去ダイオード２１１１は、駆動トランジスタ２１０３のゲートと第２ゲート線２１１７に接続されている。
【０１３０】
保持容量２１０２は、駆動トランジスタ２１０３のゲート電位を保持する役目をしている。よって、駆動トランジスタ２１０３のゲートと電源線２１０６の間に接続されているが、これに限定されない。駆動トランジスタ２１０３のゲート電位を保持できるように配置されていればよい。また、駆動トランジスタ２１０３のゲート容量などを用いて、駆動トランジスタ２１０３のゲート電位を保持できる場合は、保持容量２１０２を省いても良い。
【０１３１】
動作方法としては、第１ゲート線２１０７を選択して、選択トランジスタ２１０１をオン状態にして、信号線２１０５から信号を保持容量２１０２に入力する。すると、その信号に応じて、駆動トランジスタ２１０３の電流が制御され、第１電源線２１０６から、表示素子２１０４を通って、第２電源線２１０８に電流が流れる。
【０１３２】
信号を消去したい場合は、、第２ゲート線２１１７を選択（ここでは、高い電位にする）して、消去ダイオード２１１１がオンして、第２ゲート線２１１７から駆動トランジスタ２１０３のゲートへ電流が流れるようにする。その結果、駆動トランジスタ２１０３がオフ状態になる。すると、第１電源線２１０６から、表示素子２１０４を通って、第２電源線２１０８には、電流が流れないようになる。その結果、非点灯期間を作ることができ、点灯期間の長さを自由に制御できるようになる。
【０１３３】
信号を保持しておきたい場合は、第２ゲート線２１１７を非選択（ここでは、低い電位にする）しておく。すると、消去ダイオード２１１１がオフするので、駆動トランジスタ２１０３のゲート電位は保持される。
【０１３４】
なお、消去ダイオード２１１１は、整流性がある素子であれば、なんでもよい。ＰＮ型ダイオードでもよいし、ＰＩＮ型ダイオードでもよいし、ショットキー型ダイオードでもよいし、ツェナー型ダイオードでもよい。
【０１３５】
また、トランジスタを用いて、ダイオード接続（ゲートとドレインを接続）して、用いても良い。その場合の回路図を図２２に示す。消去ダイオード２１１１として、ダイオード接続されたトランジスタ２２１１を用いている。ここでは、Ｎチャネル型を用いているが、これに限定されない。Ｐチャネル型を用いても良い。
【０１３６】
なお、さらに別の回路として、図１５の回路を用いて、図１９のような駆動法を実現することも可能である。その場合のタイミングチャートを図１８に示す。図１８に示すように、１ゲート選択期間を複数（図１８では２つ）に分割する。そして、分割された選択期間内で、各々のゲート線を選択し、その時に対応する信号（ビデオ信号と消去するための信号）を第１信号線１７０５に入力する。例えば、ある１ゲート選択期間において、前半はｉ行目を選択し、後半はｊ行目を選択する。そして、ｉ行目が選択されているときは、それようのビデオ信号を入力する。一方、ｊ行目が選択されているときは、駆動トランジスタがオフするような信号を入力する。すると、１ゲート選択期間において、あたかも同時に２行分を選択したかのように動作させることが可能となる。
【０１３７】
なお、このような駆動方法の詳細については、例えば、特開２００１−３２４９５８号公報等に記載されており、その内容を本願と組み合わせて適用することが出来る。
【０１３８】
なお、本実施の形態において示したタイミングチャートや画素構成や駆動方法は、一例であり、これに限定されない。様々なタイミングチャートや画素構成や駆動方法に適用することが可能である。
【０１３９】
なお、サブフレームの出現順序は、時刻によって変化してもよい。例えば、１フレーム目と２フレーム目とで、サブフレームの出現順序が変わっても良い。また、サブフレームの出現順序は、場所によって変わっても良い。例えば、画素Ａと画素Ｂとで、サブフレームの出現順序が変わっても良い。また、それらを組み合わせて、サブフレームの出現順序が、時刻によって変化して、かつ、場所によって変化してもよい。
【０１４０】
なお、本実施の形態において、１フレーム期間内に、点灯期間や信号書き込み期間や非点灯期間が配置されていたが、これに限定されない。それ以外の動作期間が配置されていてもよい。例えば、表示素子に加える電圧を、通常とは逆の極性のものにするような期間、いわゆる、逆バイアス期間を設けても良い。逆バイアス期間を設けることにより、表示素子の信頼性が向上する場合がある。
【０１４１】
なお、本実施の形態で述べた内容は、実施の形態１で述べた内容と自由に組み合わせて実施することができる。
【０１４２】
（実施の形態３）
本実施の形態では、ある階調を表現するとき、上位ビットと下位ビットとに、何ビットずつ割り当てればよいかについての一例について述べる。
【０１４３】
まず、６ビット（６４階調）の階調を表現する場合について考える。一例としては、上位ビットは、４ビット（１６階調）で１５サブフレームとし、下位ビットは、２ビット（４階調）で、最低３サブフレームとする。なお、上位ビットの分割などにより、サブフレーム数をさらに増やしても良い。これにより、合計１８サブフレームとなる。
【０１４４】
次の一例としては、上位ビットは、３ビット（８階調）で７サブフレームとし、下位ビットは、３ビット（８階調）で、最低７サブフレームとする。上位ビットの分割などにより、サブフレーム数をさらに増やしても良い。これにより、合計１４サブフレームとなる。
【０１４５】
次の一例としては、上位ビットは、６階調で５サブフレームとし、下位ビットは、４ビット（１６階調）で、最低１５サブフレームとする。上位ビットの分割などにより、サブフレーム数を増やしても良い。なお、この場合、下位ビットでは、実際に用いる階調数よりも多くの階調を表現できることになるが、問題ない。下位ビットを最適値にすると、１１階調あればよいことになる。その場合は、最低１０サブフレームとなる。これにより、合計１５サブフレームとなる。
【０１４６】
次の一例としては、上位ビットは、２ビット（４階調）で３サブフレームとし、下位ビットは、４ビット（１６階調）で、最低１５サブフレームとする。上位ビットの分割などにより、サブフレーム数を増やしても良い。これにより、合計１８サブフレームとなる。
【０１４７】
次に、８ビット（２５６階調）の階調を表現する場合について考える。一例としては、上位ビットは、５ビット（３２階調）で３１サブフレームとし、下位ビットは、３ビット（８階調）で、最低７サブフレームとする。上位ビットの分割などにより、サブフレーム数を増やしても良い。これにより、合計３８サブフレームとなる。
【０１４８】
次の一例としては、上位ビットは、４ビット（１６階調）で１５サブフレームとし、下位ビットは、４ビット（１６階調）で、最低１５サブフレームとする。上位ビットの分割などにより、サブフレーム数を増やしても良い。これにより、合計３０サブフレームとなる。
【０１４９】
次の一例としては、上位ビットは、３ビット（８階調）で７サブフレームとし、下位ビットは、５ビット（３２階調）で、最低３１サブフレームとする。上位ビットの分割などにより、サブフレーム数を増やしても良い。これにより、合計３８サブフレームとなる。
【０１５０】
次の一例としては、上位ビットは、２ビット（４階調）で３サブフレームとし、下位ビットは、６ビット（６４階調）で、最低６３サブフレームとする。上位ビットの分割などにより、サブフレーム数を増やしても良い。これにより、合計６６サブフレームとなる。
【０１５１】
このように、一般に、ｎビットの階調を表現する場合について考えると、上位ビットは、ｍビットで（２ｍー１）サブフレームとし、下位ビットは、ｐビットで、（２ｐー１）サブフレームとする。上位ビットの分割などにより、サブフレーム数を増やしても良い。これにより、最低でも必要なのは、合計（２ｍ＋２ｐー２）サブフレームとなる。
【０１５２】
なお、本実施の形態で述べた内容は、実施の形態１〜２で述べた内容と自由に組み合わせて実施することができる。
【０１５３】
（実施の形態４）
本実施の形態では、本発明の駆動方法を用いる表示装置の例について示す。
【０１５４】
最も代表的な表示装置としては、プラズマディスプレイが上げられる。プラズマディスプレイの画素は、発光・非発光の２つの状態しかとれない。よって、多階調化のための手段の一つとして、時間階調法が用いられている。よって、そのような駆動方式に本発明を適用することが出来る。
【０１５５】
なお、プラズマディスプレイでは、画素への信号の書き込みだけでなく、画素の初期化を行う必要がある。よって、重ね合わせ時間階調方式を用いる部分では、サブフレームが順序よく並んでいることが望ましい。そのようにサブフレームを配置することにより、画素の初期化の回数を低減できる。その結果、コントラストの向上を図ることが出来る。
【０１５６】
よって、例えば、１フレーム内において、その最初か最後に、下位ビットでのサブフレームをまとめて配置することが望ましい。一例としては、図１の場合を用いると、ＳＦ１、ＳＦ２、ＳＦ３、ＳＦ４、ＳＦ５、ＳＦ６、ＳＦ７、ＳＦ８、ＳＦ９、ＳＦ１０という順序で１フレームが構成される、というものである。下位ビットでのサブフレームは、１フレーム内の最後にまとめた。なお、下位ビットでのサブフレームの順序も、順序よくならべることにより、初期化の回数を減らせるため、望ましい。つまり、重ね合わせ時間階調方式のサブフレームは、順序よく並んでいる。あるサブフレームで点灯している場合は、その前のサブフレームでも点灯している。よって、初期化の回数を減らすことができ、コントラストの向上を図ることが出来る。
【０１５７】
なお、コントラストの向上よりも、疑似輪郭の低減を優先させたい場合は、上位ビットの重ね合わせ時間階調方式のサブフレームの中に、下位ビットの重ね合わせ時間階調方式でのサブフレームを挿入することにより、疑似輪郭を低減することが出来る。
【０１５８】
プラズマディスプレイ以外の表示装置の例としては、ＥＬディスプレイやフィールドエミッションディスプレイやデジタル・マイクロミラー・デバイス（ＤＭＤ）を用いたディスプレイや強誘電性液晶ディスプレイや双安定型液晶ディスプレイなどが上げられる。これらはいずれも、時間階調方式を用いることが可能な表示装置である。これらの表示装置に適用することにより、時間階調方式を用いながら、疑似輪郭を低減することが出来る。
【０１５９】
例えば、ＥＬディスプレイの場合、プラズマディスプレイにおける画素の初期化のような動作をする必要がない。よって、画素の初期化のような動作をするときに発光してしまって、コントラストが低減してしまう、ということは起こらない。よって、サブフレームの出現順序は、任意に設定できる。出来るだけ疑似輪郭が生じないように、ばらばらに配置することが望ましい。
【０１６０】
したがって、上位ビットの重ね合わせ時間階調方式のサブフレームは、点灯しているサブフレームが連続するように配置され、下位ビットの重ね合わせ時間階調方式でのサブフレームは、上位ビットの重ね合わせ時間階調方式のサブフレームの間に分散して配置してもよい。これにより、上位ビットの重ね合わせ時間階調方式のサブフレームは、１フレーム内である程度まとまって配置されることになる。よって、１フレーム目から２フレーム目に変わるときに、切り替わり目で疑似輪郭が出てしまうことを少なくすることが出来る。いわゆる、動画疑似輪郭を低減することが可能となる。また、下位ビットの重ね合わせ時間階調方式でのサブフレームは、分散して配置されているので、疑似輪郭を低減することが可能である。
【０１６１】
また、上位ビットの重ね合わせ時間階調方式のサブフレームは、ばらばらに配置して、下位ビットの重ね合わせ時間階調方式でのサブフレームもばらばらに配置してもよい。その結果、下位ビットの重ね合わせ時間階調方式の部分が要因となる疑似輪郭が、上位ビットの重ね合わせ時間階調方式のサブフレームと混ざり合うため、全体として、疑似輪郭の低減効果が高くなる。
【０１６２】
なお、本実施の形態で述べた内容は、実施の形態１〜３で述べた内容と自由に組み合わせて実施することができる。
【０１６３】
（実施の形態５）
以下  本実施の形態では、表示装置、および、信号線駆動回路やゲート線駆動回路などの構成とその動作について、説明する。
【０１６４】
表示装置は、図２３に示すように、画素部２３０１、ゲート線駆動回路２３０２、信号線駆動回路２３１０を有している。ゲート線駆動回路２３０２は、画素部２３０１に選択信号を順次出力する。ゲート線駆動回路２３０２は、シフトレジスタやバッファ回路などから構成されている。
【０１６５】
このほかにも、ゲート線駆動回路２３０２は、レベルシフタ回路やパルス幅制御回路などが配置されている場合も多い。シフトレジスタでは、順次ゲート線を選択していくようなパルスを出力する。信号線駆動回路２３１０は、画素部２３０１にビデオ信号を順次出力する。シフトレジスタ２３０３では、ビデオ信号をサンプリングするためのパルスを出力する。画素部２３０１では、ビデオ信号に従って、光の状態を制御することにより、画像を表示する。信号線駆動回路２３１０から画素部２３０１へ入力するビデオ信号は、電圧である場合が多い。つまり、各画素に配置された表示素子や表示素子を制御する素子は、信号線駆動回路２３１０から入力されるビデオ信号（電圧）によって、状態を変化させる。画素に配置する表示素子の例としては、ＥＬ素子やＦＥＤ（フィールドエミッションディスプレイ）で用いる素子や液晶やＤＭＤ（デジタル・マイクロミラー・デバイス）などがあげられる。
【０１６６】
なお、ゲート線駆動回路２３０２や信号線駆動回路２３１０は、複数配置されていてもよい。
【０１６７】
信号線駆動回路２３１０は、構成を複数の部分に分けられる。大まかには、一例として、シフトレジスタ２３０３、第１ラッチ回路（ＬＡＴ１）２３０４、第２ラッチ回路（ＬＡＴ２）２３０５、増幅回路２３０６に分けられる。増幅回路２３０６には、デジタル信号をアナログに変換する機能も有していたり、ガンマ補正を行う機能も有していてもよい。
【０１６８】
また、画素は、ＥＬ素子などの表示素子を有している。その表示素子に電流（ビデオ信号）を出力する回路、すなわち、電流源回路が設けられることもある。
【０１６９】
そこで、信号線駆動回路２３１０の動作を簡単に説明する。シフトレジスタ２３０３は、クロック信号（Ｓ−ＣＬＫ）、スタートパルス（ＳＰ）、クロック反転信号（Ｓ−ＣＬＫｂ）が入力され、これらの信号のタイミングに従って、順次、サンプリングパルスが出力される。
【０１７０】
シフトレジスタ２３０３より出力されたサンプリングパルスは、第１ラッチ回路（ＬＡＴ１）２３０４に入力される。第１ラッチ回路（ＬＡＴ１）２３０４には、ビデオ信号線２３０８より、ビデオ信号が入力されており、サンプリングパルスが入力されるタイミングに従って、各列でビデオ信号を保持していく。
【０１７１】
第１ラッチ回路（ＬＡＴ１）２３０４において、最終列までビデオ信号の保持が完了すると、水平帰線期間中に、ラッチ制御線２３０９よりラッチパルス（Ｌａｔｃｈ  Ｐｕｌｓｅ）が入力され、第１ラッチ回路（ＬＡＴ１）２３０４に保持されていたビデオ信号は、一斉に第２ラッチ回路（ＬＡＴ２）２３０５に転送される。その後、第２ラッチ回路（ＬＡＴ２）２３０５に保持されたビデオ信号は、１行分が同時に、増幅回路２３０６へと入力される。そして、増幅回路２３０６から出力される信号は、画素部２３０１へ入力される。
【０１７２】
第２ラッチ回路（ＬＡＴ２）２３０５に保持されたビデオ信号が増幅回路２３０６に入力され、そして、画素部２３０１に入力されている間、シフトレジスタ２３０３においては再びサンプリングパルスが出力される。つまり、同時に２つの動作が行われる。これにより、線順次駆動が可能となる。以後、この動作を繰り返す。
【０１７３】
なお、信号線駆動回路やその一部（電流源回路や増幅回路など）は、画素部２３０１と同一基板上に存在せず、例えば、外付けのＩＣチップを用いて構成されることもある。
【０１７４】
なお、信号線駆動回路やゲート線駆動回路などの構成は、図２３に限定されない。例えば、点順次駆動で画素に信号を供給する場合もある。その場合の信号線駆動回路２４１０の例を図２４に示す。シフトレジスタ２４０３から、サンプリングパルスがサンプリング回路２４０４に出力される。ビデオ信号線２４０８より、ビデオ信号が入力され、サンプリングパルスに応じて、画素部２４０１へビデオ信号が出力される。そして、ゲート線駆動回路２４０２により選択されている行の画素に次々と信号が入力される。
【０１７５】
なお、すでに述べたように、本発明におけるトランジスタは、どのようなタイプのトランジスタでもよいし、どのような基板上に形成されていてもよい。したがって、図２３や２４で示したような回路が、全てガラス基板上に形成されていてもよいし、プラスチック基板に形成されていてもよいし、単結晶基板に形成されていてもよいし、ＳＯＩ基板上に形成されていてもよいし、どのような基板上に形成されていてもよい。あるいは、図２３や２４における回路の一部が、ある基板に形成されており、図２３や２４における回路の別の一部が、別の基板に形成されていてもよい。つまり、図２３や２４における回路の全てが同じ基板上に形成されていなくてもよい。例えば、図２３や２４において、画素部２３０１とゲート線駆動回路２３０２とは、ガラス基板上にＴＦＴを用いて形成し、ＩＣチップとして、信号線駆動回路２３１０（もしくはその一部）は、単結晶基板上に形成し、そのＩＣチップをＣＯＧ（Ｃｈｉｐ  Ｏｎ  Ｇｌａｓｓ）で接続してガラス基板上に配置してもよい。あるいは、そのＩＣチップをＴＡＢ（Ｔａｐｅ  Ａｕｔｏ  Ｂｏｎｄｉｎｇ）やプリント基板を用いてガラス基板と接続してもよい。
【０１７６】
なお、本実施の形態で説明した内容は、実施の形態１〜４で説明した内容を利用したものに相当する。したがって、実施の形態１〜４で説明した内容は、本実施の形態にも適用できる。
【０１７７】
（実施の形態６）
次に、本発明の表示装置における画素のレイアウトについて述べる。例としては、図２２に示した回路図について、そのレイアウト図を図２５に示す。なお、回路図やレイアウト図は、図２２や図２５に限定されない。
【０１７８】
選択トランジスタ２５０１、駆動トランジスタ２５０３、ダイオード接続されたトランジスタ２５１１、表示素子の電極２５０４が配置されている。選択トランジスタ２５０１のソースとドレインは各々、信号線２５０５と駆動トランジスタ２５０３のゲートに接続されている。選択トランジスタ２５０１のゲートは、第１ゲート線２５０７に接続されている。駆動トランジスタ２５０３のソースとドレインは各々、電源線２５０６と表示素子の電極２５０４に接続されている。ダイオード接続されたトランジスタ２５１１は、駆動トランジスタ２５０３のゲートと第２ゲート線２５１７に接続されている。保持容量２５０２は、駆動トランジスタ２５０３のゲートと電源線２５０６の間に接続されている。
【０１７９】
信号線２５０５、電源線２５０６は、第２配線によって形成され、第１ゲート線２５０７、第２ゲート線２５１７は、第１配線によって形成されている。
【０１８０】
トップゲート構造の場合は、基板、半導体層、ゲート絶縁膜、第１配線、層間絶縁膜、第２配線、の順で構成される。ボトムゲート構造の場合は、基板、第１配線、ゲート絶縁膜、半導体層、層間絶縁膜、第２配線、の順で構成される。
【０１８１】
なお、本実施の形態で述べた内容は、実施の形態１〜５で述べた内容と自由に組み合わせて実施することができる。
【０１８２】
（実施の形態７）
本実施の形態では、実施の形態１から実施の形態６までで述べた駆動方法を制御するハードウェアについて述べる。
【０１８３】
大まかな構成図を図２６に示す。基板２６０１の上に、画素部２６０４が配置されている。、信号線駆動回路２６０６やゲート線駆動回路２６０５が配置されている場合が多い。それ以外にも、電源回路やプリチャージ回路やタイミング生成回路などが配置されていることもある。また、信号線駆動回路２６０６やゲート線駆動回路２６０５が配置されていない場合もある。その場合は、基板２６０１に配置されていないものは、ＩＣに形成されることが多い。そのＩＣは、基板２６０１の上に、ＣＯＧ（Ｃｈｉｐ  Ｏｎ  Ｇｌａｓｓ）によって配置されている場合も多い。あるいは、周辺回路基板２６０２と基板２６０１とを接続する接続基板２６０７の上に、ＩＣが配置される場合もある。
【０１８４】
周辺回路基板２６０２には、信号２６０３が入力される。そして、コントローラ２６０８が制御して、メモリ２６０９やメモリ２６１０などに信号が保存される。信号２６０３がアナログ信号の場合は、アナログ・デジタル変換を行った後、そして、メモリ２６０９やメモリ２６１０などに保存されることが多い。そして、コントローラ２６０８がメモリ２６０９やメモリ２６１０などに保存された信号を用いて、基板２６０１に信号を出力する。
【０１８５】
実施の形態１から実施の形態６までで述べた駆動方法を実現するために、コントローラ２６０８が、サブフレームの出現順序などを制御して、基板２６０１に信号を出力する。
【０１８６】
なお、本実施の形態で述べた内容は、実施の形態１〜６で述べた内容と自由に組み合わせて実施することができる。
【０１８７】
（実施の形態８）
本発明の表示装置、およびその駆動方法を用いた表示装置を表示部に有する携帯電話の構成例について図２７を用いて説明する。
【０１８８】
表示パネル５４１０はハウジング５４００に脱着自在に組み込まれる。ハウジング５４００は表示パネル５４１０のサイズに合わせて、形状や寸法を適宜変更することができる。表示パネル５４１０を固定したハウジング５４００はプリント基板５４０１に嵌入されモジュールとして組み立てられる。
【０１８９】
表示パネル５４１０はＦＰＣ５４１１を介してプリント基板５４０１に接続される。プリント基板５４０１には、スピーカ５４０２、マイクロフォン５４０３、送受信回路５４０４、ＣＰＵ及びコントローラなどを含む信号処理回路５４０５が形成されている。このようなモジュールと、入力手段５４０６、バッテリ５４０７を組み合わせ、筐体５４０９及び５４１２に収納する。表示パネル５４１０の画素部は筐体５４０９に形成された開口窓から視認できように配置する。
【０１９０】
表示パネル５４１０は、画素部と一部の周辺駆動回路（複数の駆動回路のうち動作周波数の低い駆動回路）を基板上にＴＦＴを用いて一体形成し、一部の周辺駆動回路（複数の駆動回路のうち動作周波数の高い駆動回路）をＩＣチップ上に形成し、そのＩＣチップをＣＯＧ（Ｃｈｉｐ  Ｏｎ  Ｇｌａｓｓ）で表示パネル５４１０に実装しても良い。あるいは、そのＩＣチップをＴＡＢ（Ｔａｐｅ  Ａｕｔｏ  Ｂｏｎｄｉｎｇ）やプリント基板を用いてガラス基板と接続してもよい。なお、一部の周辺駆動回路を基板上に画素部と一体形成し、他の周辺駆動回路を形成したＩＣチップをＣＯＧ等で実装した表示パネルの構成は図２８（ａ）に一例を示してある。なお、図２８（ａ）の表示パネルの構成は、基板５３００、信号線駆動回路５３０１、画素部５３０２、走査線駆動回路５３０３、走査線駆動回路５３０４、ＦＰＣ５３０５、ＩＣチップ５３０６、ＩＣチップ５３０７、封止基板５３０８、シール材５３０９を有する。このような構成とすることで、表示装置の低消費電力を図り、携帯電話機の一回の充電による使用時間を長くすることができる。また、携帯電話機の低コスト化を図ることができる。
【０１９１】
また、走査線や信号線に設定する信号をバッファによりインピーダンス変換することで、１行毎の画素の書き込み時間を短くすることができる。よって高精細な表示装置を提供することができる。
【０１９２】
また、さらに消費電力の低減を図るため、図２８（ｂ）に示すように基板上にＴＦＴを用いて画素部を形成し、全ての周辺駆動回路をＩＣチップ上に形成し、そのＩＣチップをＣＯＧ（Ｃｈｉｐ  Ｏｎ  Ｇｌａｓｓ）などで表示パネルに実装しても良い。なお、図２８（ｂ）の表示パネルの構成は、基板５３１０、信号線駆動回路５３１１、画素部５３１２、走査線駆動回路５３１３、走査線駆動回路５３１４、ＦＰＣ５３１５、ＩＣチップ５３１６、ＩＣチップ５３１７、封止基板５３１８、シール材５３１９を有する。
【０１９３】
そして、本発明の表示装置、およびその駆動法を用いることにより、疑似輪郭の低減された、綺麗な画像で見ることが出来る。よって、人間の肌のように、階調が微妙に変化するような画像であっても、綺麗に表示出来るようになる。
【０１９４】
また、本実施例に示した構成は携帯電話の一例であって、本発明の表示装置はこのような構成の携帯電話に限られす様々な構成の携帯電話に適用することができる。
【０１９５】
（実施の形態９）
図２９は表示パネル５７０１と、回路基板５７０２を組み合わせたＥＬモジュールを示している。表示パネル５７０１は画素部５７０３、走査線駆動回路５７０４及び信号線駆動回路５７０５を有している。回路基板５７０２には、例えば、コントロール回路５７０６や信号分割回路５７０７などが形成されている。表示パネル５７０１と回路基板５７０２は接続配線５７０８によって接続されている。接続配線にはＦＰＣ等を用いることができる。
【０１９６】
コントロール回路５７０６が、実施の形態７における、コントローラ２６０８やメモリ２６０９やメモリ２６１０などに相当する。主に、コントロール回路５７０６において、サブフレームの出現順序などを制御している。
【０１９７】
表示パネル５７０１は、画素部と一部の周辺駆動回路（複数の駆動回路のうち動作周波数の低い駆動回路）を基板上にＴＦＴを用いて一体形成し、一部の周辺駆動回路（複数の駆動回路のうち動作周波数の高い駆動回路）をＩＣチップ上に形成し、そのＩＣチップをＣＯＧ（Ｃｈｉｐ  Ｏｎ  Ｇｌａｓｓ）などで表示パネル５７０１に実装するとよい。あるいは、そのＩＣチップをＴＡＢ（Ｔａｐｅ  Ａｕｔｏ  Ｂｏｎｄｉｎｇ）やプリント基板を用いて表示パネル５７０１に実装しても良い。なお、一部の周辺駆動回路を基板上に画素部と一体形成し、他の周辺駆動回路を形成したＩＣチップをＣＯＧ等で実装した表示パネルの構成は図２８（ａ）に一例を示してある。
【０１９８】
また、走査線や信号線に設定する信号をバッファによりインピーダンス変換することで、１行毎の画素の書き込み時間を短くすることができる。よって高精細な表示装置を提供することができる。
【０１９９】
また、さらに消費電力の低減を図るため、ガラス基板上にＴＦＴを用いて画素部を形成し、全ての信号線駆動回路をＩＣチップ上に形成し、そのＩＣチップをＣＯＧ（Ｃｈｉｐ  Ｏｎ  Ｇｌａｓｓ）等で表示パネルに実装してもよい。
【０２００】
なお、基板上に画素部を形成し、その基板上に信号線駆動回路を形成したＩＣチップをＣＯＧ等で実装した構成は図２８（ｂ）に一例を示してある。
【０２０１】
このＥＬモジュールによりＥＬテレビ受像機を完成させることができる。図３０は、ＥＬテレビ受像機の主要な構成を示すブロック図である。チューナ５８０１は映像信号と音声信号を受信する。映像信号は、映像信号増幅回路５８０２と、そこから出力される信号を赤、緑、青の各色に対応した色信号に変換する映像信号処理回路５８０３と、その映像信号を駆動回路の入力仕様に変換するためのコントロール回路５７０６により処理される。コントロール回路５７０６は、走査線側と信号線側にそれぞれ信号が出力する。デジタル駆動する場合には、信号線側に信号分割回路５７０７を設け、入力デジタル信号をｍ個に分割して供給する構成としても良い。
【０２０２】
チューナ５８０１で受信した信号のうち、音声信号は音声信号増幅回路５８０４に送られ、その出力は音声信号処理回路５８０５を経てスピーカ５８０６に供給される。制御回路５８０７は受信局（受信周波数）や音量の制御情報を入力部５８０８から受け、チューナ５８０１や音声信号処理回路５８０５に信号を送出する。
【０２０３】
ＥＬモジュールを筐体に組みこんで、テレビ受像機を完成させることができる。ＥＬモジュールにより、表示部が形成される。また、スピーカ、ビデオ入力端子などが適宜備えられている。
【０２０４】
勿論、本発明はテレビ受像機に限定されず、パーソナルコンピュータのモニタをはじめ、鉄道の駅や空港などにおける情報表示盤や、街頭における広告表示盤など特に大面積の表示媒体として様々な用途に適用することができる。
【０２０５】
このように、本発明の表示装置、およびその駆動法を用いることにより、疑似輪郭の低減された、綺麗な画像で見ることが出来る。よって、人間の肌のように、階調が微妙に変化するような画像であっても、綺麗に表示出来るようになる。
【０２０６】
（実施の形態１０）
本発明を用いた電子機器として、ビデオカメラ、デジタルカメラ等のカメラ、ゴーグル型ディスプレイ、ナビゲーションシステム、音響再生装置（カーオーディオ、オーディオコンポ等）、コンピュータ、ゲーム機器、携帯情報端末（モバイルコンピュータ、携帯電話、携帯型ゲーム機または電子書籍等）、記録媒体を備えた画像再生装置（具体的にはＤｉｇｉｔａｌ  Ｖｅｒｓａｔｉｌｅ  Ｄｉｓｃ（ＤＶＤ）等の記録媒体を再生し、その画像を表示しうるディスプレイを備えた装置）などが挙げられる。それらの電子機器の具体例を図３１に示す。
【０２０７】
図３１（Ａ）は発光装置であり、筐体１３００１、支持台１３００２、表示部１３００３、スピーカ部１３００４、ビデオ入力端子１３００５等を含む。本発明は表示部１３００３を構成する表示装置に用いることができる。また本発明により、疑似輪郭の低減された、綺麗な画像で見ることができるようになり、図３１（Ａ）に示す発光装置が完成される。発光装置は自発光型であるためバックライトが必要なく、液晶ディスプレイよりも薄い表示部とすることができる。なお、発光装置は、パーソナルコンピュータ用、ＴＶ放送受信用、広告表示用などの全ての情報表示用表示装置が含まれる。
【０２０８】
図３１（Ｂ）はデジタルカメラであり、本体１３１０１、表示部１３１０２、受像部１３１０３、操作キー１３１０４、外部接続ポート１３１０５、シャッター１３１０６等を含む。本発明は、表示部１３１０２を構成する表示装置に用いることができる。また本発明により、疑似輪郭の低減された、綺麗な画像で見ることができるようになり、図３１（Ｂ）に示すデジタルスチルカメラが完成される。
【０２０９】
図３１（Ｃ）はコンピュータであり、本体１３２０１、筐体１３２０２、表示部１３２０３、キーボード１３２０４、外部接続ポート１３２０５、ポインティングマウス１３２０６等を含む。本発明は、表示部１３２０３を構成する表示装置に用いることができる。また本発明により、疑似輪郭の低減された、綺麗な画像で見ることができるようになり、図３１（Ｃ）に示す発光装置が完成される。
【０２１０】
図３１（Ｄ）はモバイルコンピュータであり、本体１３３０１、表示部１３３０２、スイッチ１３３０３、操作キー１３３０４、赤外線ポート１３３０５等を含む。本発明は、表示部１３３０２を構成する表示装置に用いることができる。また本発明により、疑似輪郭の低減された、綺麗な画像で見ることができるようになり、図３１（Ｄ）に示すモバイルコンピュータが完成される。
【０２１１】
図３１（Ｅ）は記録媒体を備えた携帯型の画像再生装置（具体的にはＤＶＤ再生装置）であり、本体１３４０１、筐体１３４０２、表示部Ａ１３４０３、表示部Ｂ１３４０４、記録媒体（ＤＶＤ等）読み込み部１３４０５、操作キー１３４０６、スピーカ部１３４０７等を含む。表示部Ａ１３４０３は主として画像情報を表示し、表示部Ｂ１３４０４は主として文字情報を表示するが、本発明は、表示部Ａ、Ｂ１３４０３、１３４０４を構成する表示装置に用いることができる。なお、記録媒体を備えた画像再生装置には家庭用ゲーム機器なども含まれる。また本発明により、疑似輪郭の低減された、綺麗な画像で見ることができるようになり、図３１（Ｅ）に示すＤＶＤ再生装置が完成される。
【０２１２】
図３１（Ｆ）はゴーグル型ディスプレイであり、本体１３５０１、表示部１３５０２、アーム部１３５０３を含む。本発明は、表示部１３５０２を構成する表示装置に用いることができる。また本発明により、疑似輪郭の低減された、綺麗な画像で見ることができるようになり、図３１（Ｆ）に示すゴーグル型ディスプレイが完成される。
【０２１３】
図３１（Ｇ）はビデオカメラであり、本体１３６０１、表示部１３６０２、筐体１３６０３、外部接続ポート１３６０４、リモコン受信部１３６０５、受像部１３６０６、バッテリ１３６０７、音声入力部１３６０８、操作キー１３６０９、接眼部１３６１０等を含む。本発明は、表示部１３６０２を構成する表示装置に用いることができる。また本発明により、疑似輪郭の低減された、綺麗な画像で見ることができるようになり、図３１（Ｇ）に示すビデオカメラが完成される。
【０２１４】
図３１（Ｈ）は携帯電話であり、本体１３７０１、筐体１３７０２、表示部１３７０３、音声入力部１３７０４、音声出力部１３７０５、操作キー１３７０６、外部接続ポート１３７０７、アンテナ１３７０８等を含む。本発明は、表示部１３７０３を構成する表示装置に用いることができる。なお、表示部１３７０３は黒色の背景に白色の文字を表示することで携帯電話の消費電流を抑えることができる。また本発明により、疑似輪郭の低減された、綺麗な画像で見ることができるようになり、図３１（Ｈ）に示す携帯電話が完成される。
【０２１５】
なお、発光輝度が高い発光材料を用いれば、出力した画像情報を含む光をレンズ等で拡大投影してフロント型若しくはリア型のプロジェクターに用いることも可能となる。
【０２１６】
また、上記電子機器はインターネットやＣＡＴＶ（ケーブルテレビ）などの電子通信回線を通じて配信された情報を表示することが多くなり、特に動画情報を表示する機会が増してきている。発光材料の応答速度は非常に高いため、発光装置は動画表示に好ましい。
【０２１７】
また、発光装置は発光している部分が電力を消費するため、発光部分が極力少なくなるように情報を表示することが望ましい。従って、携帯情報端末、特に携帯電話や音響再生装置のような文字情報を主とする表示部に発光装置を用いる場合には、非発光部分を背景として文字情報を発光部分で形成するように駆動することが望ましい。
【０２１８】
以上の様に、本発明の適用範囲は極めて広く、あらゆる分野の電子機器に用いることが可能である。また本実施の形態の電子機器は、実施の形態１〜９に示したいずれの構成の表示装置を用いても良い。
【図面の簡単な説明】
【０２１９】
【図１】本発明の表示装置の駆動方法の構成を説明する図。
【図２】本発明の表示装置の駆動方法の構成を説明する図。
【図３】本発明の表示装置の駆動方法の構成を説明する図。
【図４】本発明の表示装置の駆動方法の構成を説明する図。
【図５】本発明の表示装置の駆動方法の構成を説明する図。
【図６】本発明の表示装置の駆動方法の構成を説明する図。
【図７】本発明の表示装置の駆動方法の構成を説明する図。
【図８】本発明の表示装置の駆動方法の構成を説明する図。
【図９】本発明の表示装置の駆動方法の構成を説明する図。
【図１０】本発明の表示装置の駆動方法の構成を説明する図。
【図１１】本発明の表示装置の駆動方法の構成を説明する図。
【図１２】本発明の表示装置の駆動方法の構成を説明する図。
【図１３】本発明の表示装置の駆動方法の構成を説明する図。
【図１４】本発明の表示装置の駆動方法の構成を説明する図。
【図１５】本発明の表示装置の構成を説明する図。
【図１６】本発明の表示装置の駆動方法の構成を説明する図。
【図１７】本発明の表示装置の構成を説明する図。
【図１８】本発明の表示装置の駆動方法の構成を説明する図。
【図１９】本発明の表示装置の駆動方法の構成を説明する図。
【図２０】本発明の表示装置の構成を説明する図。
【図２１】本発明の表示装置の構成を説明する図。
【図２２】本発明の表示装置の構成を説明する図。
【図２３】本発明の表示装置の構成を説明する図。
【図２４】本発明の表示装置の構成を説明する図。
【図２５】本発明の表示装置の構成を説明する図。
【図２６】本発明の表示装置の構成を説明する図。
【図２７】本発明が適用される電子機器を説明する図。
【図２８】本発明の表示装置の構成を説明する図。
【図２９】本発明が適用される電子機器を説明する図。
【図３０】本発明の表示装置の構成を説明する図。
【図３１】本発明が適用される電子機器を説明する図。
【図３２】従来の表示装置の駆動方法の構成を説明する図。
【図３３】従来の表示装置の駆動方法の構成を説明する図。
【図３４】従来の表示装置の駆動方法の構成を説明する図。
【図３５】従来の表示装置の駆動方法の構成を説明する図。
【図３６】従来の表示装置の駆動方法の構成を説明する図。
【図１】
2006209093.tif 000003
【図２】
2006209093.tif 000004
【図３】
2006209093.tif 000005
【図４】
2006209093.tif 000006
【図５】
2006209093.tif 000007
【図６】
2006209093.tif 000008
【図７】
2006209093.tif 000009
【図８】
2006209093.tif 000010
【図９】
2006209093.tif 000011
【図１０】
2006209093.tif 000012
【図１１】
2006209093.tif 000013
【図１２】
2006209093.tif 000014
【図１３】
2006209093.tif 000015
【図１４】
2006209093.tif 000016
【図１５】
2006209093.tif 000017
【図１６】
2006209093.tif 000018
【図１７】
2006209093.tif 000019
【図１８】
2006209093.tif 000020
【図１９】
2006209093.tif 000021
【図２０】
2006209093.tif 000022
【図２１】
2006209093.tif 000023
【図２２】
2006209093.tif 000024
【図２３】
2006209093.tif 000025
【図２４】
2006209093.tif 000026
【図２５】
2006209093.tif 000027
【図２６】
2006209093.tif 000028
【図２７】
2006209093.tif 000029
【図２８】
2006209093.tif 000030
【図２９】
2006209093.tif 000031
【図３０】
2006209093.tif 000032
【図３１】
2006209093.tif 000033
【図３２】
2006209093.tif 000034
【図３３】
2006209093.tif 000035
【図３４】
2006209093.tif 000036
【図３５】
2006209093.tif 000037
【図３６】
2006209093.tif 000038